(57)【要約】【課題】電線から端子への力の伝達を抑制すること。【解決手段】絶縁性を有する筐体１０と、筐体１０の内部に収容及び保持され、コネクタ接続時に相手側端子に接続される端子２０と、柔軟性を有する導体であり、筐体１０の内部で端子２０に対して相手側端子とは逆側に配置され、かつ、端子２０に対して電気的に接続された柔軟性導体４０と、筐体１０の内部で筐体１０に固定された導体であり、柔軟性導体４０に対して端子２０とは逆側に配置され、かつ、柔軟性導体４０に対して電気的に接続された中継部材５０と、中継部材５０に対して端子２０とは逆側に配置されると共に、中継部材５０に対して電気的に接続され、かつ、端子２０の相手側端子への挿入方向とは逆向きに筐体１０の内部から引き出された電線３０と、を備えること。【選択図】図３
2016173967.tif 000002
【特許請求の範囲】
【請求項１】
絶縁性を有する筐体と、
前記筐体の内部に収容及び保持され、コネクタ接続時に相手側端子に接続される端子と、
柔軟性を有する導体であり、前記筐体の内部で前記端子に対して前記相手側端子とは逆側に配置され、かつ、該端子に対して電気的に接続された柔軟性導体と、
前記筐体の内部で当該筐体に固定された導体であり、前記柔軟性導体に対して前記端子とは逆側に配置され、かつ、該柔軟性導体に対して電気的に接続された中継部材と、
前記中継部材に対して前記端子とは逆側に配置されると共に、前記中継部材に対して電気的に接続され、かつ、前記端子の前記相手側端子への挿入方向とは逆向きに前記筐体の内部から引き出された電線と、
を備えることを特徴としたストレート型コネクタ。
【請求項２】
前記中継部材は、前記挿入方向に対する交差方向に立設した固定部を有し、該固定部を介して前記筐体に固定することを特徴とした請求項１に記載のストレート型コネクタ。
【請求項３】
前記柔軟性導体は、前記挿入方向に対する交差方向に撓ませた撓み部を有することを特徴とした請求項１又は２に記載のストレート型コネクタ。
【請求項４】
前記電線における前記中継部材との接続部位よりも前記引き出し方向側を保持する電線保持機構を設けることを特徴とした請求項１，２又は３に記載のストレート型コネクタ。
【請求項５】
前記中継部材は、前記柔軟性導体と前記電線の芯線とを電気的に接続させる電気接続部を有することを特徴とした請求項１から４の内の何れか１つに記載のストレート型コネクタ。
【請求項６】
前記筐体を外側から覆うことで当該筐体の内部への外部からの電波の侵入を抑制するシールド構造体を設けることを特徴とした請求項１から５の内の何れか１つに記載のストレート型コネクタ。
【発明の詳細な説明】
【技術分野】
【０００１】
本発明は、ストレート型コネクタに関する。
【背景技術】
【０００２】
従来、電力供給や制御信号の通信等に用いられる電線を接続したコネクタが知られている。例えば、下記の特許文献１には、ハウジング（筐体）と、このハウジングに保持された端子と、この端子の相手側端子に対する挿入方向とは逆向きに延出させた伸縮性導体と、その挿入方向に対する直交方向にハウジングの内部から外部へと引き出された電線と、伸縮性導体の延出側の端部と電線とを溶着させた溶着部と、を備えるＬ字型コネクタについて開示されている。
【先行技術文献】
【特許文献】
【０００３】
【特許文献１】特開２０１４−１１１３４号公報
【発明の概要】
【発明が解決しようとする課題】
【０００４】
ところで、コネクタが車両等の可動物に搭載されている場合には、その動きに応じた外力が電線に加わり、この電線で生じた力が端子に伝わることによって、端子と相手側端子との間で接触不良が生じてしまう可能性がある。ここで、上記特許文献１のＬ字型コネクタでは、電線で生じた力を伸縮性導体で吸収し、その力の端子への伝達を抑制している。更に、このＬ字型コネクタでは、その伸縮性導体と電線との間の溶着部をハウジングにネジ止めすることによって、電線から端子へと力が伝達することを抑制している。しかしながら、そのような力の伝達抑制構造は、Ｌ字型コネクタを適用対象とするものであり、このままストレート型コネクタに適用することは難しい。このため、ストレート型コネクタにおける力の伝達抑制構造については、未だ改善の余地がある。尚、ストレート型コネクタとは、筐体内の端子と相手側端子との間の挿入方向と筐体内からの電線の引き出し方向とを一致させたコネクタのことである。
【０００５】
そこで、本発明は、電線から端子への力の伝達の抑制が可能なストレート型コネクタを提供することを、その目的とする。
【課題を解決するための手段】
【０００６】
上記目的を達成する為、本発明は、絶縁性を有する筐体と、前記筐体の内部に収容及び保持され、コネクタ接続時に相手側端子に接続される端子と、柔軟性を有する導体であり、前記筐体の内部で前記端子に対して前記相手側端子とは逆側に配置され、かつ、該端子に対して電気的に接続された柔軟性導体と、前記筐体の内部で当該筐体に固定された導体であり、前記柔軟性導体に対して前記端子とは逆側に配置され、かつ、該柔軟性導体に対して電気的に接続された中継部材と、前記中継部材に対して前記端子とは逆側に配置されると共に、前記中継部材に対して電気的に接続され、かつ、前記端子の前記相手側端子への挿入方向とは逆向きに前記筐体の内部から引き出された電線と、を備えることを特徴としている。
【０００７】
ここで、前記中継部材は、前記挿入方向に対する交差方向に立設した固定部を有し、該固定部を介して前記筐体に固定することが望ましい。
【０００８】
また、前記柔軟性導体は、前記挿入方向に対する交差方向に撓ませた撓み部を有することが望ましい。
【０００９】
また、前記電線における前記中継部材との接続部位よりも前記引き出し方向側を保持する電線保持機構を設けることが望ましい。
【００１０】
また、前記中継部材は、前記柔軟性導体と前記電線の芯線とを電気的に接続させる電気接続部を有することが望ましい。
【００１１】
また、前記筐体を外側から覆うことで当該筐体の内部への外部からの電波の侵入を抑制するシールド構造体を設けることが望ましい。
【発明の効果】
【００１２】
本発明に係るストレート型コネクタは、端子と電線との間に柔軟性導体を介在させ、かつ、電線と柔軟性導体間に中継部材を介在させることによって、ストレート型においても、電線に生じた力の端子への伝達を抑制することができる。また、このストレート型コネクタにおいては、中継部材がハウジングに固定されているので、電線に生じた力をハウジングに中継部材を介して逃がすことができ、この点からも、その力の端子への伝達を抑制することができる。
【図面の簡単な説明】
【００１３】
【図１】図１は、実施形態のストレート型コネクタを示す斜視図である。
【図２】図２は、実施形態のストレート型コネクタを示す正面図である。
【図３】図３は、図２のＸ−Ｘ線で切った断面図である。
【図４】図４は、実施形態のストレート型コネクタの構成部品を示す展開斜視図である。
【発明を実施するための形態】
【００１４】
以下に、本発明に係るストレート型コネクタの実施形態を図面に基づいて詳細に説明する。尚、この実施形態によりこの発明が限定されるものではない。
【００１５】
［実施形態］
本発明に係るストレート型コネクタ（以下、単に「コネクタ」と称する。）の実施形態の１つを図１から図４に基づいて説明する。尚、図示の便宜上、編組７３の具体的な形状（編み目等）は省略している。
【００１６】
各図の符号１は、本実施形態のコネクタを示す。このコネクタ１は、図３及び図４に示すように、筐体１０と端子２０と電線３０と柔軟性導体４０と中継部材５０と電線保持機構６０とシールド構造体７０とを備える。柔軟性導体４０と中継部材５０と電線保持機構６０は、電線３０から端子２０への力の伝達を抑える外力伝達抑制機構を成している。このコネクタ１においては、端子２０と電線３０と柔軟性導体４０と中継部材５０とを後述するが如く電気的に接続することによって、端子付き電線が形成される。
【００１７】
筐体１０は、端子２０と電線３０の一端と柔軟性導体４０と中継部材５０とを内部に収容する一方で、シールド構造体７０によって外側から覆われている。この筐体１０は、絶縁性を有する。筐体１０は、ハウジング１１とカバー１２とシール部材１３とを備える。この筐体１０においては、ハウジング１１とカバー１２とによって内部空間が形成され、この内部空間に端子２０と電線３０の一端と柔軟性導体４０と中継部材５０とが収容される。
【００１８】
ハウジング１１は、樹脂材料によって成形される。このハウジング１１は、端子２０が収容される第１収容部１１ａと、電線３０の一端と柔軟性導体４０と中継部材５０とが収容される第２収容部１１ｂと、を有する。ハウジング１１は、その第１収容部１１ａと第２収容部１１ｂとが一体成形されたものである。このハウジング１１では、第１収容部１１ａを第２収容部１１ｂから突出させている。その突出方向は、下記の端子２０の挿入方向と一致している。
【００１９】
第１収容部１１ａは、筒状に成形され、その内方の空間を端子収容室１１ａ１として用いる。端子２０は、その筒状の軸線方向に沿って端子収容室１１ａ１に挿入され、この端子収容室１１ａ１で保持される。この端子２０の端子収容室１１ａ１への挿入方向は、端子２０のハウジング１１への挿入方向や端子２０の相手側端子（図示略）への挿入方向｛つまりコネクタ１の相手側コネクタ（図示略）への挿入方向｝と一致している。この例示の端子２０は、後述するように、第１接続部（端子接続部）２１が円筒状に成形された雌端子である。このため、この例示では、第１収容部１１ａを円筒状に成形し、円柱状の端子収容室１１ａ１を形成する。そして、第１収容部１１ａにおける上記の挿入方向側の端部には、端子収容室１１ａ１に連通させた開口１１ａ２を形成する。その開口１１ａ２は、端子２０と相手側端子とを接続する際に、相手側端子（雄端子）の端子収容室１１ａ１への挿入口として用いられる。
【００２０】
この例示のコネクタ１は、２つの端子２０を備える。このため、ハウジング１１には、それぞれの端子２０が個別に収容される２つの第１収容部１１ａが形成される。この２つの第１収容部１１ａは、それぞれの端子２０の挿入方向を一致させた状態で並列に配置される。
【００２１】
第２収容部１１ｂには、Ｌ字収容室１１ｂ１と固定部材収容室１１ｂ２とが形成されている。
【００２２】
Ｌ字収容室１１ｂ１は、電線３０の一端と柔軟性導体４０と中継部材５０とが収容される空間であり、上記の挿入方向に対する直交方向に見て略Ｌ字状の空間を成している。電線３０の一端と柔軟性導体４０と中継部材５０は、端子２０のハウジング１１への挿入と共に、その挿入方向に沿ってＬ字収容室１１ｂ１に挿入される。このＬ字収容室１１ｂ１は、電線３０の一端と柔軟性導体４０と中継部材５０における後述する電気接続部５１とが収容される第１収容室１１ｂ１１と、中継部材５０における後述する固定部５２が収容される第２収容室１１ｂ１２と、に大別することができる。
【００２３】
第１収容室１１ｂ１１は、第１収容部１１ａに対して相手側端子側とは逆側に配置し、端子収容室１１ａ１における相手側端子側とは逆側の端面に連通させる。この第１収容室１１ｂ１１は、略立方体状に形成し、その６面の内の上記の挿入方向側の端面を端子収容室１１ａ１における上記の逆側の端面に連通させる。端子２０は、ハウジング１１に収容される際、この第１収容室１１ｂ１１を経て端子収容室１１ａ１に挿入される。つまり、第１収容室１１ｂ１１は、端子２０が端子収容室１１ａ１に収容されるまでの当該端子２０の挿入経路も成している。この第１収容室１１ｂ１１には、端子２０が端子収容室１１ａ１に収容されることによって、電線３０の一端と柔軟性導体４０と中継部材５０の電気接続部５１とが収容される。
【００２４】
第２収容室１１ｂ１２は、第１収容室１１ｂ１１と共に略Ｌ字状の空間を成すように、この第１収容室１１ｂ１１における相手側端子側とは逆側の端部に配置する。この第２収容室１１ｂ１２は、略立方体状であり、第１収容室１１ｂ１１よりも上記の挿入方向における長さを短く形成する。この第２収容室１１ｂ１２には、端子２０が端子収容室１１ａ１に収容されることによって、中継部材５０の固定部５２が収容される。
【００２５】
固定部材収容室１１ｂ２は、第１固定部材８１を収容する空間である。第１固定部材８１とは、第２固定部材８２と対になって用いられる部材である。第１固定部材８１と第２固定部材８２は、中継部材５０の固定部５２をハウジング１１に固定するために利用される。第１固定部材８１と第２固定部材８２は、その内の一方を雌螺子の形成された雌螺子部材とし、その内の他方を雄螺子の形成された雄螺子部材とする。この例示では、第１固定部材８１が雌螺子部材であり、第２固定部材８２が雄螺子部材である。固定部材収容室１１ｂ２には、その第１固定部材８１としてのナットが嵌合固定されている。端子２０が端子収容室１１ａ１に収容された際には、第１固定部材８１の内方の円柱状の空間（雌螺子部が形成されている空間）と固定部５２の貫通孔５２ａとが同心上に配置され、かつ、その第１固定部材８１の固定部材収容室１１ｂ２からの露出面と固定部５２とが当接する。このため、中継部材５０は、その第１固定部材８１に第２固定部材８２を螺合させていくことによって、ハウジング１１に固定される。
【００２６】
この例示のコネクタ１は、上述したように２つの端子２０を備えており、２つの端子付き電線を有する。このため、第２収容部１１ｂには、その端子付き電線毎にＬ字収容室１１ｂ１と固定部材収容室１１ｂ２とが形成されている。ここで、それぞれの端子付き電線同士を電気的に接触させないように、第２収容部１１ｂには、一方の端子付き電線用のＬ字収容室１１ｂ１及び固定部材収容室１１ｂ２と他方の端子付き電線用のＬ字収容室１１ｂ１及び固定部材収容室１１ｂ２との間に、間仕切り壁を設けてもよい。
【００２７】
ここで、第２収容部１１ｂは、相手側端子側（第１収容部１１ａ側）とは逆側の端部に開口（この例示では略矩形に形成された開口）１１ｂ３を有している。その開口１１ｂ３は、Ｌ字収容室１１ｂ１（第１収容室１１ｂ１１と第２収容室１１ｂ１２）における相手側端子側とは逆側の端面と連通している。
【００２８】
その開口１１ｂ３は、カバー１２で塞がれる。そのカバー１２は、その開口１１ｂ３よりも大きい略矩形の平板からなる主部１２ａと、この主部１２ａから上記の挿入方向に立設した第１枠部１２ｂと、その主部１２ａから上記の挿入方向とは逆向きに立設した第２枠部１２ｃと、を有する。カバー１２は、樹脂材料によって成形される。このカバー１２は、主部１２ａと第１枠部１２ｂと第２枠部１２ｃとが一体成形されたものである。
【００２９】
主部１２ａは、その周縁における上記の挿入方向側の壁面を第２収容部１１ｂの環状の端面（開口１１ｂ３を成す端面）に当接させる。
【００３０】
第１枠部１２ｂは、第２収容部１１ｂの内方に挿入される。この第１枠部１２ｂは、開口１１ｂ３を成す第２収容部１１ｂの内周面に対して、その全面に渡って所定の間隔を設けた外周面を有する。その第１枠部１２ｂの外周面と第２収容部１１ｂの内周面との間には、環状のシール部材１３を介在させる。そのシール部材１３は、第２収容部１１ｂとカバー１２との間からのハウジング１１の内部への液体や塵埃等の浸入を抑えるための部材である。このため、このシール部材１３は、その外周面と内周面との間の間隔よりも厚めに成形されている。
【００３１】
第２枠部１２ｃには、電線保持機構６０における後述する矩形かつ板状の電線保持部材６１が収容される。ここで、その電線保持部材６１は、後述するように弾性材料によって成形されたものである。第２枠部１２ｃと電線保持部材６１との間から主部１２ａ側への液体や塵埃等の浸入を抑えるべく、第２枠部１２ｃは、その電線保持部材６１の矩形形状よりも小さい略立方体状の収容空間を有する。このため、電線保持部材６１は、第２枠部１２ｃに嵌合される。
【００３２】
その主部１２ａと第１枠部１２ｂと第２枠部１２ｃには、上記の挿入方向にて電線３０を挿通する貫通孔１２ｄが形成されている。このため、電線３０は、ハウジング１１から上記の挿入方向とは逆向きに引き出される。その貫通孔１２ｄは、電線３０毎に形成される。
【００３３】
このような構成からなる筐体１０には、ハウジング１１の第１収容部１１ａにおける第２収容部１１ｂとの境界部分に、環状のシール部材９１が取り付けられている。シール部材９１は、相手側コネクタとの間においての液体や塵埃等の浸入を抑制するためのものである。
【００３４】
端子２０は、導電性の金属材料を所定の雄型形状又は雌型形状に成形した端子金具である。この端子２０は、コネクタ１と相手側コネクタとの接続時（コネクタ接続時）に相手側端子と電気的に接続される端子接続部としての第１接続部２１と、電線３０側と電気的に接続される電線接続部としての第２接続部２２と、を有する。端子２０は、雄端子でも雌端子でもよい。この例示では、第１接続部２１が円筒状の雌型形状に成形されている。また、この例示の第２接続部２２は、挿入された電線３０側（具体的には柔軟性導体４０）を加締めることで圧着固定できるように成形されている。この端子２０においては、第１接続部２１の相手側端子への挿入方向と、電線３０側の第２接続部２２への挿入方向と、を一致させている。
【００３５】
電線３０は、導体としての芯線３１と、この芯線３１を被覆する外装部材３２と、を有する。この電線３０は、上記の挿入方向側の先端において芯線３１を露出させている。電線３０は、端子２０毎に用意される。上述した第１収容室１１ｂ１１には、その芯線３１の露出部分を含む電線３０の一端が収容される。この電線３０と端子２０との間には、柔軟性導体４０と中継部材５０とを介在させる。第１収容室１１ｂ１１では、後述するように、端子２０、柔軟性導体４０、中継部材５０、電線３０の順番で配置されている。つまり、電線３０は、その中継部材５０に対して端子２０や柔軟性導体４０とは逆側に配置される。この電線３０においては、先端の芯線３１が中継部材５０に対して電気的に接続される。また、この電線３０は、上記の挿入方向とは逆向きに第１収容室１１ｂ１１から引き出される。
【００３６】
柔軟性導体４０は、柔軟性を有する導体、つまり柔軟性と導電性とを有する部材で成形される。柔軟性とは、例えば端子２０と電線３０の芯線３１と中継部材５０よりも剛性の低い性質のことをいう。この例示の柔軟性導体４０は、導電性を有する編組を所定の形状に成形することによって得る。編組とは、複数本の編組線が網目状に編み込まれたものである。この柔軟性導体４０は、端子２０に対して相手側端子とは逆側に配置される。この柔軟性導体４０は、一端が端子２０の第２接続部２２に対して電気的に接続され、かつ、他端が中継部材５０に対して電気的に接続される。この柔軟性導体４０は、その第２接続部２２に対して電気的に接続される端子側接続部としての第１接続部４１と、中継部材５０に対して電気的に接続される中継部材側接続部としての第２接続部４２と、を有する。この柔軟性導体４０においては、第１接続部４１が第２接続部２２に圧着固定され、第２接続部４２が中継部材５０の電気接続部５１に圧着固定される。更に、この柔軟性導体４０は、その第１接続部４１と第２接続部４２との間に、上記の挿入方向に対する交差方向に撓ませた撓み部４３を有する。例えば、ここでは、平板状の編組の中央部分を弧状に撓ませることによって、撓み部４３と、その両端の第１接続部４１及び第２接続部４２と、を有する柔軟性導体４０が形成される。柔軟性導体４０は、端子２０毎に用意される。
【００３７】
中継部材５０は、導電性の金属材料によって成形される。この中継部材５０は、電線３０の芯線３１と柔軟性導体４０とに対して電気的に接続される導体であり、その芯線３１と柔軟性導体４０とを電気的に接続させる。この中継部材５０は、電線３０と柔軟性導体４０との間（つまり、柔軟性導体４０に対して端子２０とは逆側、換言するならば電線３０に対して端子２０側）に配置される。中継部材５０は、端子２０毎に用意される。
【００３８】
この中継部材５０は、電線３０の芯線３１に対して電気的に接続される電線接続部と、柔軟性導体４０に対して電気的に接続される柔軟性導体接続部と、を有する。中継部材５０においては、その電線接続部と柔軟性導体接続部とを個別に設けてもよい。但し、この例示の中継部材５０では、電線接続部と柔軟性導体接続部とを共用化した電気接続部５１が形成されている。その電気接続部５１は、電線３０の芯線３１と柔軟性導体４０とを電気的に接続させる部位である。電気接続部５１には、電線３０の先端の芯線３１が上記の挿入方向に挿入され、かつ、柔軟性導体４０の第２接続部４２が上記の挿入方向とは逆向きに挿入される。この電気接続部５１は、挿入された第２接続部４２と芯線３１とを一緒に加締めることで圧着固定できるように成形されている。
【００３９】
中継部材５０は、ハウジング１１に内部で固定される。この中継部材５０は、上記の挿入方向に対する交差方向に立設した固定部５２を有する。その固定部５２は、電気接続部５１における相手側端子側の端部から立設させる。この固定部５２には、ハウジング１１内の第１固定部材８１と同心上に配置される貫通孔５２ａが設けられている。中継部材５０は、上述したように、その固定部５２の貫通孔５２ａを介してハウジング１１内にネジ止めされる。
【００４０】
電線保持機構６０は、電線３０における中継部材５０との接続部位よりも当該電線３０の引き出し方向側を保持するものである。この電線保持機構６０は、端子２０に対する相対的な移動が禁止されるように配置する。この電線保持機構６０は、筐体１０の内部と外部の内の少なくとも一方に設けると共に、この筐体１０に固定する。この例示では、筐体１０の外部に設けている。電線保持機構６０は、電線保持部材６１とリアホルダ６２とを備える。
【００４１】
電線保持部材６１は、上述したように筐体１０のカバー１２における第２枠部１２ｃの内方に配置され、この内方で電線３０を保持する。この電線保持部材６１は、弾性材料によって矩形かつ板状に成形される。この電線保持部材６１には、電線３０を挿通させると共に保持する貫通孔６１ａが形成されている。その貫通孔６１ａは、カバー１２の貫通孔１２ｄと同心上に配置されている。貫通孔６１ａは、電線３０の外装部材３２の外周面を覆うものであり、その外装部材３２の外径よりも小さい内径を有する。このため、この貫通孔６１ａは、挿通された外装部材３２の外周面を弾発力によって押圧することができ、その押圧力によって電線３０を保持する。また、この貫通孔６１ａは、その押圧力によって、電線３０との間への液体や塵埃等の浸入を抑えることができる。この貫通孔６１ａは、電線３０毎に形成される。
【００４２】
リアホルダ６２は、電線保持部材６１が収容された第２枠部１２ｃの開口を塞ぐ閉塞部６２ａと、この閉塞部６２ａの周縁から上記の挿入方向に立設させ、第２枠部１２ｃの外周面を覆う壁部６２ｂと、を有する。このリアホルダ６２においては、その閉塞部６２ａと壁部６２ｂとが樹脂材料によって一体成形されている。閉塞部６２ａには、電線３０を挿通させる貫通孔６２ａ１が形成されている。その貫通孔６２ａ１は、電線保持部材６１の貫通孔６１ａと同心上に配置されている。この貫通孔６２ａ１は、電線３０毎に形成される。このリアホルダ６２は、２箇所に係止部６２ｃを備えており、この係止部６２ｃによって例えばハウジング１１に係止される。
【００４３】
シールド構造体７０は、筐体１０を外側から覆うことで当該筐体１０の内部への外部からの電波の侵入を抑制するものである。この例示のシールド構造体７０は、筐体１０と共に電線保持機構６０についても外側から覆う。シールド構造体７０は、第１シェル７１と第２シェル７２と編組７３とを備える。
【００４４】
第１シェル７１と第２シェル７２は、互いに嵌合させることでハウジング１１を外側から覆う筒状体を成すものである。第１シェル７１と第２シェル７２は、その各々が、筒状体の相手側端子側の端部を残して半割りしたものに相当する。第１シェル７１は、その筒状体が半割りされた一方の分割部（第１分割部）７１ａと、その相手側端子側の端部である第１環状部７１ｂと、を有する。一方、第２シェル７２は、その筒状体が半割りされた他方の分割部（第２分割部）７２ａを有する。第１シェル７１と第２シェル７２は、第１分割部７１ａと第２分割部７２ａとを嵌合させることによって上記の筒状体となる。この第１シェル７１と第２シェル７２は、導電性の金属材料によって成形される。第１環状部７１ｂの内周面とハウジング１１の第１収容部１１ａの外周面との間には、相手側コネクタが挿入される環状の空間部が形成される。
【００４５】
ここで、第１シェル７１には、貫通孔７１ｃ（この例示では２つの貫通孔７１ｃ）が形成されている。また、ハウジング１１には、その貫通孔７１ｃと同心の雌螺子部１１ｃが形成されている。雄螺子部材８３は、その貫通孔７１ｃに挿通され、雌螺子部１１ｃに螺合される。つまり、第１シェル７１は、その貫通孔７１ｃを介してハウジング１１にネジ止めされる。
【００４６】
この第１シェル７１と第２シェル７２の嵌合体である筒状体は、筐体１０におけるハウジング１１の相手側端子側を覆うものである。このため、この例示では、この筒状体で覆われていない筐体１０の残りの部分（相手側端子とは逆側）とカバー１２と電線保持機構６０とを外側から覆うように、導電性を有する編組７３が設けられている。その編組７３は、これらを外側から覆うよう筒状に成形されている。この編組７３の相手側端子側は、第１シェル７１と第２シェル７２とからなる筒状体の第２環状部７４を覆い、この第２環状部７４に対して金属製のバンド８４で締め付けられる。
【００４７】
このように構成されているコネクタ１においては、端子２０と電線３０との間に柔軟性導体４０を介在させているので、電線３０に力が生じた場合に、この力が柔軟性導体４０で吸収され、電線３０から端子２０への力の伝達が抑制される。特に、その柔軟性導体４０には、第１接続部４１（端子２０が接続されている部分）と第２接続部４２（中継部材５０及び電線３０が接続されている部分）との間に撓み部４３が形成されている。このため、このコネクタ１は、柔軟性導体４０における力の吸収性が、撓み部４３の無い柔軟性導体と比較して高くなっているので、電線３０に力が生じたときの電線３０から端子２０への力の伝達抑制効果が高い。
【００４８】
更に、このコネクタ１においては、電線３０と柔軟性導体４０とを繋ぐ中継部材５０をハウジング１１に固定しているので、電線３０に生じた力の柔軟性導体４０への伝達量を減らすことができる。このため、このコネクタ１は、この点からも、電線３０に力が生じたときの電線３０から端子２０への力の伝達を抑えることができる。
【００４９】
また更に、このコネクタ１においては、電線保持機構６０によって、電線３０における中継部材５０及び柔軟性導体４０との接続部位よりも当該電線３０の引き出し方向側を保持しているので、その接続部位への電線３０に生じた力の伝達量を減らすことができる。このため、このコネクタ１は、この点からも、電線３０に力が生じたときの電線３０から端子２０への力の伝達を抑えることができる。
【００５０】
以上示したように、このコネクタ１は、端子２０と電線３０との間に柔軟性導体４０を介在させ、かつ、電線３０と柔軟性導体４０との間に中継部材５０を介在させることによって、ストレート型においても、電線３０に生じた力の端子２０への伝達を抑制することができる。従って、このコネクタ１は、端子２０と相手側端子との間の接点部への力の伝達も抑制することもできる。よって、このコネクタ１は、その端子２０と相手側端子との間の接触不良の発生を抑えることができる。特に、この例示の柔軟性導体４０は、第１接続部４１と第２接続部４２との間に撓み部４３を有している。このため、このコネクタ１においては、電線３０から柔軟性導体４０に伝わってきた力が撓み部４３で吸収されるので、その力の端子２０への伝達がより大きく抑制される。
【００５１】
また、このコネクタ１においては、中継部材５０がハウジング１１に固定されているので、電線３０に生じた力をハウジング１１に中継部材５０を介して逃がすことができ、この点からも、その力の端子２０への伝達を抑制することができる。よって、このコネクタ１においては、端子２０と相手側端子との間における接触不良の発生をより抑制することができる。また、このコネクタ１においては、電線３０における中継部材５０との接続部位よりも当該電線３０の引き出し方向側を電線保持機構６０で保持しているので、電線３０に生じた力が電線保持機構６０よりも先の柔軟性導体４０や中継部材５０に伝わり難くなっている。このため、このコネクタ１においては、電線３０に生じた力の端子２０への伝達を更に抑制することができるので、端子２０と相手側端子との間における接触不良の発生の更なる抑制が可能になる。
【００５２】
また、柔軟性導体４０においては、中継部材５０がハウジング１１に固定される前に、撓み部４３を境にして、第１接続部４１と第２接続部４２の位置関係をずらすことができる。このため、その撓み部４３は、端子２０等の各種構成部品の設計公差や組み付け公差による各種構成部品の位置ずれを吸収することもできるので、中継部材５０の固定部５２の貫通孔５２ａと第１固定部材８１の螺子部とを同心上に近づけることができる。よって、このコネクタ１は、各種構成部品の公差管理を従来以上に厳しくせずとも組み付けが可能になるので、原価の増加代を抑えることもできる。
【符号の説明】
【００５３】
１  コネクタ（ストレート型コネクタ）
１０  筐体
１１  ハウジング
１２  カバー
１３  シール部材
２０  端子
３０  電線
４０  柔軟性導体
４３  撓み部
５０  中継部材
５１  電気接続部
５２  固定部
６０  電線保持機構
６１  電線保持部材
６１ａ  貫通孔
６２  リアホルダ
７０  シールド構造体
８１  第１固定部材
８２  第２固定部材
【図１】
2016173967.tif 000003
【図２】
2016173967.tif 000004
【図３】
2016173967.tif 000005
【図４】
2016173967.tif 000006